(57)【要約】      （修正有）【課題】戸の脚装置のシューを適正位置に容易に配置することができ、且つ、部品点数を大幅に削減することができるエレベータの戸装置を得る。【解決手段】戸の脚装置９に、少なくともその一部が敷居の案内溝内に配置されるシュー１０と、下端部にシュー１０が設けられ、板状部材からなるその上部に、所定の間隔を有して配置された、戸板５の下端部の取付面に固定される固定部１６及び１７、並びに、両固定部間であって取付面から離れた位置に配置された調整部２０を有する取付手段１１とを備えることにより、取付手段１１の固定部１６及び１７を固定手段１４及び１５によって取付面に固定するとともに、戸板５の下端部に設けられた調整手段１９により取付手段１１の調整部２０を取付面側に付勢して、取付手段１１の上部を変形させ、シュー１０を戸板５の厚み方向の所定位置に配置する。【選択図】図６
2008143611.tif 000002
【特許請求の範囲】
【請求項１】
エレベータの出入口を開閉する戸板と、
前記戸板の下端部に設けられ、その一部が敷居の案内溝内を移動することにより前記戸板の下端部の開閉方向を案内する戸の脚装置と、
を備えたエレベータの戸装置であって、
前記戸の脚装置は、
少なくともその一部が前記敷居の前記案内溝内に配置されるシューと、
下端部に前記シューが設けられ、板状部材からなるその上部に、所定の間隔を有して配置された、前記戸板の下端部の取付面に固定される固定部、及び、前記両固定部間であって前記取付面から離れた位置に配置された調整部を有する取付手段と、
前記取付手段の前記固定部を前記取付面に固定する固定手段と、
前記戸板の下端部に設けられ、前記取付手段の前記調整部を前記取付面側に付勢することにより、前記取付手段の上部を変形させて、前記シューを前記戸板の厚み方向の所定位置に配置する調整手段と、
を備えたことを特徴とするエレベータの戸装置。
【請求項２】
取付手段は、全体が一枚の板状部材で形成され、戸板の下端部の取付面に固定される上部とシューが設けられた下端部との間に、調整部よりも幅の狭いくびれ部が設けられたことを特徴とする請求項１に記載のエレベータの戸装置。
【請求項３】
シューは、平面視、移動方向両先端部の幅が中央部の幅よりも狭いことを特徴とする請求項１又は請求項２に記載のエレベータの戸装置。
【発明の詳細な説明】
【技術分野】
【０００１】
この発明は、エレベータの乗場出入口やかご出入口を開閉する戸装置に関するものである。
【背景技術】
【０００２】
エレベータの乗場出入口やかご出入口を開閉する戸装置は、出入口を塞ぐ戸板から下方に突設された戸の脚装置のシューが敷居の案内溝内を移動することにより、その下端部の移動方向が案内されている。そして、戸の脚装置の固定に関する従来技術として、戸板の下端部を裏側に屈折して更にこの屈折部を上方に屈折することにより、戸板と一体を成す上記屈折部分に戸の脚装置を締結固定し、戸装置の部品点数の減少及び加工精度の向上を図ったものが提案されている（例えば、特許文献１参照）。
【０００３】
【特許文献１】特開平１１−２４０６８３号公報
【発明の開示】
【発明が解決しようとする課題】
【０００４】
特許文献１記載のものを含め、従来のエレベータの戸装置では、シューを敷居の案内溝内に正確に配置するため、戸の脚装置は、複数枚のスペーサ（特許文献１における間隔片１８）を介して戸板の下端部に固定されていた。このため、戸装置の据付時に戸の脚装置のシューが戸板の厚み方向にずれてしまった場合には、ボルトを弛緩して、戸板と戸の脚装置との間に所定枚数のスペーサを追加した後、再びボルトを締め直すといった煩雑な作業が必要となっていた。
【０００５】
なお、エレベータの戸装置は、建築物の各階床に設けられた乗場と昇降路内を昇降するかごとにそれぞれ設けられる。このため、各乗場及びかごの戸装置それぞれに所定枚数のスペーサが必要となって、部品点数が著しく増加するとともに、特に建築物が高層の場合には、全ての戸装置に戸の脚装置を取り付けるだけで多大な時間と手間とを要するといった問題があった。
【０００６】
この発明は、上述のような課題を解決するためになされたもので、その目的は、戸の脚装置のシューを適正位置に容易に配置することができ、且つ、部品点数を大幅に削減することができるエレベータの戸装置を提供することである。
【課題を解決するための手段】
【０００７】
この発明に係るエレベータの戸装置は、エレベータの出入口を開閉する戸板と、戸板の下端部に設けられ、その一部が敷居の案内溝内を移動することにより戸板の下端部の開閉方向を案内する戸の脚装置と、を備えたエレベータの戸装置であって、戸の脚装置は、少なくともその一部が敷居の案内溝内に配置されるシューと、下端部にシューが設けられ、板状部材からなるその上部に、所定の間隔を有して配置された、戸板の下端部の取付面に固定される固定部、及び、両固定部間であって取付面から離れた位置に配置された調整部を有する取付手段と、取付手段の固定部を取付面に固定する固定手段と、戸板の下端部に設けられ、取付手段の調整部を取付面側に付勢することにより、取付手段の上部を変形させて、シューを戸板の厚み方向の所定位置に配置する調整手段と、を備えたものである。
【発明の効果】
【０００８】
この発明によれば、戸の脚装置のシューを適正位置に容易に配置することができ、且つ、部品点数を大幅に削減することができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベータの戸装置を示す斜視図である。図１において、１はエレベータ昇降路内を昇降するかご、２はかご室、３はかご室２等を支持するかご床、４はかご室２に形成されたかご出入口を開閉する戸装置、５は戸装置４の要部を構成する戸板、６はかご床３の端部に設けられ、戸板５の下端部の移動方向を案内するかご敷居、６ａはかご敷居６の長手に沿って形成された案内溝である。
【００１１】
次に、図２乃至図６に基づいて、上記戸装置４の具体的構成について説明する。図２はこの発明の実施の形態１におけるエレベータの戸装置を示す要部斜視図であり、上記戸装置４の下端部の詳細を示したものである。図３は図２に示すエレベータの戸装置のＡ−Ａ矢視図、図４は図２に示すエレベータの戸装置のＢ−Ｂ矢視図、図５は図２に示すエレベータの戸装置のＣ−Ｃ矢視図、図６はこの発明の実施の形態１におけるエレベータの戸装置を示す分解斜視図である。
【００１２】
図２乃至図６において、かご出入口を実際に開閉する上記戸板５は、その両側部が裏面側に向かって平面視略コ字状に曲成されることにより、かご室２の内部に面する意匠面が平坦に形成され、且つ、所定の強度が付与される。ここで、７は戸板５の下端部を補強するために、戸板５の裏面側からその下端部に設けられた略Ｌ字状の補強枠、８は補強枠７に設けられ、所定の厚みを有する板状の取付座、９は取付座８に設けられ、その一部がかご敷居６の案内溝６ａ内を移動することにより、戸板５の下端部の移動方向（開閉方向）を案内する戸の脚装置である。なお、上記取付座８は、戸の脚装置９を戸板５の下端部の所定位置に配置するためのものであり、戸の脚装置９の配置に合わせて、補強枠７への取付位置及びその厚みが設定されている。
【００１３】
上記戸の脚装置９は、少なくともその一部がかご敷居６の案内溝６ａ内に配置されるシュー１０と、下端部にシュー１０が設けられ、上部が、上記シュー１０が所定位置に配置されるように、戸板５の下端部、即ち、取付座８の取付面に固定される取付手段１１とから構成される。ここで、上記シュー１０は、平面視、かご敷居６の案内溝６ａの溝方向に長手を有する楕円状を呈しており、戸板５の開閉動作に連動して案内溝６ａ内を移動する。即ち、シュー１０は、かご敷居６の案内溝６ａ内での移動が阻害されることのないように、平面視、移動方向両先端部の幅が中央部の幅よりも狭く、上記移動方向両先端部に所定の丸みが形成されている。
【００１４】
また、上記取付手段１１は、所定の形状に形成及び曲成された所定のバネ性を有する一枚の板状部材（例えば、鋼板等）から構成される。そして、取付手段１１は、その上部が、平面視、中央部（後述の調整部２０）が反取付座８側に膨らむようにアーチ状に形成されている。即ち、上記取付手段１１は、板状部材からなるその上部に、互いに所定の間隔を有して配置され、取付座８の取付面のネジ孔１２及び１３に螺嵌された固定用ボルト１４及び１５（固定手段）によって、取付座８の取付面に接触した状態で固定された固定部１６及び１７と、上記両固定部１６及び１７間であって、取付座８の取付面から僅かに離れた位置に配置され、取付座８の取付面のネジ孔１８に螺嵌された調整用ボルト１９（調整手段）により取付座８の取付面側に付勢された状態で、上記所定位置に固定された調整部２０と、固定部１６及び調整部２０間、並びに、固定部１７及び調整部２０間に相当する部分からなる湾曲部２１及び２２とが備えられている。なお、上記固定部１６及び１７並びに調整部２０は、取付手段１１の上部のうち、例えば、平坦な部分を指すものとする。
【００１５】
なお、取付手段１１の上部には、調整部２０に調整用ボルト１９が挿通される貫通孔２３が、固定部１６及び１７に、固定用ボルト１４及び１５が挿通される、水平方向に長手を有する長孔２４及び２５が、それぞれ取付座８のネジ孔１８、１２及び１３の位置に合わせて形成されている。また、上記取付手段１１には、取付座８の取付面に固定されるその上部とシュー１０が設けられた下端部との間に、その幅が上記調整部２０の幅よりも狭いくびれ部２６が形成されている。
【００１６】
そして、戸装置４の据付時等、上記構成を有する戸の脚装置９を戸板５下端部の取付面、即ち、取付座８の取付面に固定する場合には、先ず、戸の脚装置９の取付手段１１を取付座８の取付面に宛がい、固定用ボルト１４及び１５並びに調整用ボルト１９を軽く締め付けて、戸の脚装置９を取付座８に仮固定する。なお、貫通孔２３が略円形状を呈するため、貫通孔２３に挿通された調整用ボルト１９がネジ孔１８に螺嵌されることにより、戸の脚装置９の戸板５に対する幅方向の位置と高さとは所定の僅かな範囲に拘束される。また、戸の脚装置９は、固定部１６及び１７が取付座８の取付面に接触し、且つ、調整部２０が調整用ボルト１９によって取付座８の取付面側に付勢されていない状態で、シュー１０が、平面視、かご敷居６の案内溝６ａよりも取付座８の取付面から離れた位置に配置される。即ち、戸の脚装置９の取付手段１１は、上記配置となるように、上部のアーチ状が形成されている。
【００１７】
そして、戸の脚装置９を取付座８に仮固定した後、調整用ボルト１９を更に締め付けて調整部２０を調整用ボルト１９によって取付座８の取付面側に付勢することにより、シュー１０を取付座８の取付面側に移動させて、戸板５の厚み方向の適正位置に配置する。なお、取付手段１１の固定部１６及び１７には長孔２４及び２５が形成されているため、取付手段１１の固定部１６及び１７は、調整部２０が調整用ボルト１９に付勢されて取付座８の取付面側に移動した際に、固定用ボルト１４及び１５に阻害されることなく、両側に広がるように移動する。そして、取付手段１１の上部の変形によってシュー１０を戸板５の厚み方向の適正位置に配置した後、固定用ボルト１４及び１５を強固に締め付けて、戸の脚装置９を取付座８に完全に固定する。なお、取付手段１１は、シュー１０の位置調整の際に変形する上部とシュー１０が設けられた下端部との間に、調整部２０よりも幅の狭いくびれ部２６が形成されているため、上部が変形する際にもその歪みが下端部に伝わることはなく、シュー１０自体やその配置に悪影響を与えることはない。
【００１８】
この発明の実施の形態１によれば、調整用ボルト１９の締め付け動作によって、戸の脚装置９のシュー１０を戸板５の下端部の適正位置に容易に配置することができ、戸装置４の据付に要する時間と手間とを大幅に減少させることができる。なお、実施の形態１においてはかご１の戸装置４の場合について説明したが、乗場に設けられる戸装置に対しても、同様の構成により同様の効果が得られることは言うまでもない。したがって、建築物が高層の場合には、据え付けが必要な戸装置の数も多くなるため、特に有効な手段となる。
【００１９】
また、シュー１０の戸板５に対する厚み方向の位置調整に、従来のようなスペーサは必要ない。このため、戸装置４の部品点数が大幅に削減されて、据付作業性や運搬性等を向上させることが可能となる。なお、上記シュー１０は、平面視、かご敷居６の案内溝６ａの溝方向に長手を有する楕円状を呈している。このため、戸の脚装置９を取付座８に取り付ける際に、その位置がかご敷居６の長手方向に僅かにずれたり、固定用ボルト１４及び１５を締め付けることによって僅かに回転変位が生じたりした場合でも、シュー１０が舟形形状なので案内溝６ａ内の移動が阻害されるようなことはなく、戸板５の下端部の開閉動作を安定した状態で案内することが可能である。
【図面の簡単な説明】
【００２０】
【図１】この発明の実施の形態１におけるエレベータの戸装置を示す斜視図である。
【図２】この発明の実施の形態１におけるエレベータの戸装置を示す要部斜視図である。
【図３】図２に示すエレベータの戸装置のＡ−Ａ矢視図である。
【図４】図２に示すエレベータの戸装置のＢ−Ｂ矢視図である。
【図５】図２に示すエレベータの戸装置のＣ−Ｃ矢視図である。
【図６】この発明の実施の形態１におけるエレベータの戸装置を示す分解斜視図である。
【符号の説明】
【００２１】
１  かご、  ２  かご室、  ３  かご床、  ４  戸装置、  ５  戸板、
６  かご敷居、  ６ａ  案内溝、  ７  補強枠、  ８  取付座、  ９  戸の脚装置、
１０  シュー、  １１  取付手段、  １２  ネジ孔、  １３  ネジ孔、
１４  固定用ボルト、  １５  固定用ボルト、  １６  固定部、  １７  固定部、
１８  ネジ孔、  １９  調整用ボルト、  ２０  調整部、  ２１  湾曲部、
２２  湾曲部、  ２３  貫通孔、  ２４  長孔、  ２５  長孔、  ２６  くびれ部
【図１】
2008143611.tif 000003
【図２】
2008143611.tif 000004
【図３】
2008143611.tif 000005
【図４】
2008143611.tif 000006
【図５】
2008143611.tif 000007
【図６】
2008143611.tif 000008